(57)【要約】【課題】２つの端子間に印加される直流電圧の極性に無関係に電気機器に電力を供給することができる車載装置を提供する。【解決手段】車両に搭載された給電制御装置１２では、変換回路２３は、正極端子Ｔ１及び負極端子Ｔ２間に印加される直流電圧の極性に無関係に、所定極性の電圧に変換する。変換回路２３が変換した電圧に係る電圧は、昇圧回路２４、コンパレータ２５、レギュレータ２６及びマイコン２７に印加される。【選択図】図１
2020005420.tif 000002
【特許請求の範囲】
【請求項１】
２つの端子間に直流電圧が印加され、前記２つの端子を介して電気機器に電力が供給される車載装置であって、
前記直流電圧の極性に無関係に、前記直流電圧を所定極性の電圧に変換する変換回路を備え、
前記変換回路が変換した電圧に係る電圧が前記電気機器に印加される
車載装置。
【請求項２】
制御端の電圧が高い程、第１端及び第２端間の抵抗値が小さい半導体スイッチを備え、
前記電気機器は、前記変換回路が変換した電圧を昇圧し、昇圧した電圧を前記半導体スイッチの制御端に印加する昇圧回路であり、
前記直流電圧は、前記半導体スイッチの前記第１端及び第２端を介して出力される
請求項１に記載の車載装置。
【請求項３】
前記変換回路が変換した電圧を降圧し、降圧した電圧を前記電気機器に印加する降圧回路を備える
請求項１に記載の車載装置。
【請求項４】
前記変換回路は、
アノードが前記２つの端子中の一方の端子に接続される第１ダイオードと、
カソードが前記第１ダイオードのカソードに接続され、アノードが前記２つの端子中の他方の端子に接続される第２ダイオードと、
カソードが前記一方の端子に接続される第３ダイオードと、
アノードが前記第３ダイオードのアノードに接続され、カソードが前記他方の端子に接続される第４ダイオードと
を有し、
前記変換回路が変換した電圧は、前記第２ダイオードのカソード及び前記第４ダイオードのアノードから出力される
請求項１から請求項３のいずれか１つに記載の車載装置。
【発明の詳細な説明】
【技術分野】
【０００１】
本発明は車載装置に関する。
【背景技術】
【０００２】
直流電源から電力が供給される電気機器を備える車載装置（例えば、特許文献１を参照）が普及している。特許文献１に記載の車載装置では、電源回路にダイオードのカソードが接続されている。
【０００３】
直流電源の正極がダイオードのアノードに接続されている場合、電源回路は、直流電源の出力電圧を降圧し、降圧した電圧を電気機器に印加する。これにより、電気機器に電力が供給され、電気機器が作動する。誤って、直流電源の負極がダイオードのアノードに接続された場合、ダイオードの作用により、電気機器に電力が供給されることはない。
【先行技術文献】
【特許文献】
【０００４】
【特許文献１】特開２０１５−１６５７４５号公報
【発明の概要】
【発明が解決しようとする課題】
【０００５】
特許文献１に記載の車載装置では、誤った直流電源の接続を行った場合、電気機器が作動することはない。しかしながら、直流電源の接続が誤っている場合、即ち、直流電源が接続される２つの端子間に印加される直流電圧の極性が誤っている場合であっても作動しなければならない電気機器が車両に搭載されている可能性がある。
【０００６】
本発明は斯かる事情に鑑みてなされたものであり、その目的とするところは、２つの端子間に印加される直流電圧の極性に無関係に電気機器に電力を供給することができる車載装置を提供することにある。
【課題を解決するための手段】
【０００７】
本発明の一態様に係る車載装置は、２つの端子間に直流電圧が印加され、前記２つの端子を介して電気機器に電力が供給される車載装置であって、前記直流電圧の極性に無関係に、前記直流電圧を所定極性の電圧に変換する変換回路を備え、前記変換回路が変換した電圧に係る電圧が前記電気機器に印加される。
【発明の効果】
【０００８】
上記の態様によれば、２つの端子間に印加される直流電圧の極性に無関係に電気機器に電力を供給することができる。
【図面の簡単な説明】
【０００９】
【図１】本実施形態における電源システムの要部構成を示すブロック図である。
【図２】マイコンの要部構成を示すブロック図である。
【図３】切替え処理の手順を示すフローチャートである。
【発明を実施するための形態】
【００１０】
［本発明の実施形態の説明］
最初に本発明の実施態様を列挙して説明する。以下に記載する実施形態の少なくとも一部を任意に組み合わせてもよい。
【００１１】
（１）本発明の一態様に係る車載装置は、２つの端子間に直流電圧が印加され、前記２つの端子を介して電気機器に電力が供給される車載装置であって、前記直流電圧の極性に無関係に、前記直流電圧を所定極性の電圧に変換する変換回路を備え、前記変換回路が変換した電圧に係る電圧が前記電気機器に印加される。
【００１２】
上記の一態様にあっては、変換回路は、直流電圧の極性に無関係に直流電圧を所定極性の電圧に変換する。このため、２つの端子間に印加される直流電圧の極性に無関係に、所定極性の電圧が電気機器に印加され、電気機器に電力が供給される。
【００１３】
（２）本発明の一態様に係る車載装置は、制御端の電圧が高い程、第１端及び第２端間の抵抗値が小さい半導体スイッチを備え、前記電気機器は、前記変換回路が変換した電圧を昇圧し、昇圧した電圧を前記半導体スイッチの制御端に印加する昇圧回路であり、前記直流電圧は、前記半導体スイッチの前記第１端及び第２端を介して出力される。
【００１４】
上記の一態様にあっては、２つの端子間に印加される直流電圧の極性に無関係に昇圧回路に電力が供給される。昇圧回路は、変換回路が変換した電圧を昇圧し、昇圧した電圧を半導体スイッチの制御端に印加する。これにより、半導体スイッチはオフからオンに切替わる。
【００１５】
（３）本発明の一態様に係る車載装置は、前記変換回路が変換した電圧を降圧し、降圧した電圧を前記電気機器に印加する降圧回路を備える。
【００１６】
上記の一態様にあっては、降圧回路は、変換回路が変換した電圧を降圧し、降圧した電圧を電気機器に印加する。これにより、電気機器に電力が供給される。
【００１７】
（４）本発明の一態様に係る車載装置は、前記変換回路は、アノードが前記２つの端子中の一方の端子に接続される第１ダイオードと、カソードが前記第１ダイオードのカソードに接続され、アノードが前記２つの端子中の他方の端子に接続される第２ダイオードと、カソードが前記一方の端子に接続される第３ダイオードと、アノードが前記第３ダイオードのアノードに接続され、カソードが前記他方の端子に接続される第４ダイオードとを有し、前記変換回路が変換した電圧は、前記第２ダイオードのカソード及び前記第４ダイオードのアノードから出力される。
【００１８】
上記の一態様にあっては、変換回路が電圧を印加する印加対象が第２ダイオードのカソードと、第４ダイオードのアノードとに接続されている。他方の端子の電位を基準とした一方の端子の電圧の極性が正である場合、第１ダイオード、印加対象及び第４ダイオードの順に電流が流れる。他方の端子の電位を基準とした一方の端子の電圧の極性が負である場合、第２ダイオード、印加対象及び第３ダイオードの順に流れる。変換回路が変換した電圧が、第２ダイオードのカソード及び第４ダイオードのアノードから印加対象に出力される。
【００１９】
［本発明の実施形態の詳細］
本発明の実施形態に係る車載装置の具体例を、以下に図面を参照しつつ説明する。なお、本発明はこれらの例示に限定されるものではなく、特許請求の範囲によって示され、特許請求の範囲と均等の意味および範囲内でのすべての変更が含まれることが意図される。
【００２０】
図１は、本実施形態における電源システム１の要部構成を示すブロック図である。電源システム１は、好適に車両に搭載されており、バッテリ１１、給電制御装置１２、ヒューズ１３、負荷１４、正極端子Ｔ１及び負極端子Ｔ２を備える。バッテリ１１は、正極端子Ｔ１及び負極端子Ｔ２間に着脱可能に接続される。バッテリ１１が正極端子Ｔ１及び負極端子Ｔ２間に接続された場合、正極端子Ｔ１及び負極端子Ｔ２間に直流電圧が印加される。以下では、正極端子Ｔ１及び負極端子Ｔ２間に印加される直流電圧を端子電圧と記載する。端子電圧は、負極端子Ｔ２の電位を基準とした正極端子Ｔ１の電圧である。
【００２１】
バッテリ１１の正極及び負極夫々が正極端子Ｔ１及び負極端子Ｔ２に接続された場合、バッテリ１１の接続は正常接続であり、端子電圧の極性は正である。バッテリ１１の正極及び負極夫々が負極端子Ｔ２及び正極端子Ｔ１に誤って接続された場合、バッテリ１１の接続は逆接続であり、端子電圧の極性は負である。
【００２２】
給電制御装置１２は、車載装置であり、半導体スイッチ２１、寄生ダイオード２２、変換回路２３、昇圧回路２４、コンパレータ２５、レギュレータ２６、マイクロコンピュータ（以下、マイコンという）２７及び抵抗Ｒ１，Ｒ２を有する。半導体スイッチ２１はＮチャネル型のＦＥＴである。寄生ダイオード２２は、半導体スイッチ２１が製造された場合に形成されるダイオードである。コンパレータ２５は、電流入力端、電流出力端、プラス端、マイナス端及び電圧出力端を有する。変換回路２３は、第１ダイオード３１、第２ダイオード３２、第３ダイオード３３及び第４ダイオード３４を有する。
【００２３】
正極端子Ｔ１は、ヒューズ１３を介して、給電制御装置１２の半導体スイッチ２１のドレインに接続されている。半導体スイッチ２１のソースは負荷１４の一端に接続されている。負荷１４の他端は負極端子Ｔ２に接続されている。
【００２４】
給電制御装置１２内では、半導体スイッチ２１のドレイン及びソース夫々は、寄生ダイオード２２のカソード及びアノードに接続されている。半導体スイッチ２１のゲート及びソース間に抵抗Ｒ１が接続されている。半導体スイッチ２１のゲートは、更に、抵抗Ｒ２の一端に接続されている。正極端子Ｔ１は、更に、ヒューズ１３を介して、変換回路２３の第１ダイオード３１のアノードに接続されている。変換回路２３内では、第１ダイオード３１のカソードは、第２ダイオード３２のカソードに接続されている。第２ダイオード３２のアノードは負極端子Ｔ２に接続されている。第２ダイオード３２のカソードは、更に、昇圧回路２４、コンパレータ２５の電流入力端及びレギュレータ２６に接続されている。
【００２５】
正極端子Ｔ１は、更に、ヒューズ１３を介して、変換回路２３の第３ダイオード３３のカソードに接続されている。変換回路２３内では、第３ダイオード３３のアノードは、第４ダイオード３４のアノードに接続されている。第４ダイオード３４のカソードは負極端子Ｔ２に接続されている。第４ダイオード３４のアノードは、更に、昇圧回路２４、コンパレータ２５の電流出力端、レギュレータ２６及びマイコン２７に接続されている。
【００２６】
昇圧回路２４は、更に、マイコン２７及び抵抗Ｒ２の他端に接続されている。コンパレータ２５のプラス端は、ヒューズ１３を介して、正極端子Ｔ１に接続されている。コンパレータ２５のマイナス端及び電圧出力端夫々は、負極端子Ｔ２及びマイコン２７に接続されている。
【００２７】
バッテリ１１が正極端子Ｔ１及び負極端子Ｔ２に接続された場合、変換回路２３は、端子電圧を変換し、変換した電圧を昇圧回路２４、コンパレータ２５及びレギュレータ２６に印加する。これにより、昇圧回路２４、コンパレータ２５及びレギュレータ２６に電力が供給される。
【００２８】
以下では、変換回路２３が変換した電圧を変換電圧と記載する。変換電圧は、第４ダイオード３４のアノードの電位を基準とした第２ダイオード３２のカソードの電圧である。変換回路２３が変換電圧を印加する３つの印加対象は、昇圧回路２４、コンパレータ２５及びレギュレータ２６である。変換電圧は、変換回路２３が変換した電圧であるので、変換回路２３が変換した電圧に係る電圧でもある。
【００２９】
バッテリ１１の接続が正常接続である場合、即ち、端子電圧の極性が正である場合、電流は、正極端子Ｔ１、ヒューズ１３、第１ダイオード３１、印加対象、第４ダイオード３４及び負極端子Ｔ２の順に流れる。このとき、変換電圧の極性は正である。
ヒューズ１３を流れる電流が所定電流以上となった場合、ヒューズ１３は溶断される。
【００３０】
バッテリ１１の接続が逆接続である場合、即ち、端子電圧の極性が負である場合、電流は、負極端子Ｔ２、第２ダイオード３２、印加対象、第３ダイオード３３及び正極端子Ｔ１の順に流れる。このときも、変換電圧の極性は正である。
【００３１】
以上のように、変換回路２３では、端子電圧の極性に無関係に、端子電圧を正の電圧（変換電圧）に変換し、変換電圧は第２ダイオード３２のカソード及び第４ダイオード３４のアノードから印加対象に出力される。変換電圧は昇圧回路２４、コンパレータ２５及びレギュレータ２６に印加される。端子電圧の極性に無関係に正の電圧が昇圧回路２４、コンパレータ２５及びレギュレータ２６に印加され、正極端子Ｔ１及び負極端子Ｔ２を介してこれらに電力が供給される。昇圧回路２４、コンパレータ２５及びレギュレータ２６夫々は電気機器として機能する。
【００３２】
変換回路２３から昇圧回路２４、コンパレータ２５及びレギュレータ２６に電力が供給されている場合、これらは作動する。変換回路２３から昇圧回路２４、コンパレータ２５及びレギュレータ２６への給電が停止した場合、これらは動作を停止する。
【００３３】
半導体スイッチ２１について、ソースの電位を基準としたゲートの電圧が高い程、ドレイン及びソース間の抵抗値は小さい。半導体スイッチ２１について、ソースの電位を基準としたゲートの電圧が閾値以上である場合、ドレイン及びソース間の抵抗値は小さく、ドレイン及びソースを介して電流を流れることが可能である。このとき、半導体スイッチ２１はオンである。
【００３４】
半導体スイッチ２１について、ソースの電位を基準としたゲートの電圧が閾値未満である場合、ドレイン及びソース間の抵抗値が大きく、ドレイン及びソースを介して電流を流れることはない。このとき、半導体スイッチ２１はオフである。閾値は、一定であり、ゼロＶを超えている。半導体スイッチ２１のドレイン、ソース及びゲート夫々は、第１端、第２端及び制御端に相当する。
【００３５】
マイコン２７は、昇圧回路２４にハイレベル電圧又はローレベル電圧を出力している。昇圧回路２４は、マイコン２７から入力されている電圧がローレベル電圧からハイレベル電圧に切替わった場合、変換電圧を昇圧し、昇圧した電圧を、抵抗Ｒ２を介して、半導体スイッチ２１のゲートに印加する。以下では、昇圧回路２４が昇圧した電圧を昇圧電圧と記載する。昇圧電圧は、第４ダイオード３４のアノードの電位を基準とした電圧である。昇圧電圧の極性は正である。
【００３６】
昇圧回路２４が昇圧電圧を半導体スイッチ２１のゲートに印加した場合、半導体スイッチ２１では、バッテリ１１の接続、即ち、端子電圧の極性に無関係に、ソースの電位を基準としたゲートの電圧が閾値以上となる。結果、半導体スイッチ２１はオンに切替わる。半導体スイッチ２１がオンである場合、半導体スイッチ２１のドレイン及びソース間の抵抗値は小さい。このため、半導体スイッチ２１がオンである場合、電流は、半導体スイッチ２１のドレイン及びソースを介して流れ、端子電圧は、半導体スイッチ２１のドレイン及びソースを介して出力される。半導体スイッチ２１がオンである場合、寄生ダイオード２２を介して流れる電流は略ゼロＡである。
【００３７】
昇圧回路２４は、マイコン２７から入力されている電圧がハイレベル電圧からローレベル電圧に切替わった場合、変換電圧の昇圧を停止する。このとき、抵抗Ｒ１に電流が流れず、半導体スイッチ２１において、ソースの電位を基準としたゲートの電圧は、ゼロＶであり、正の閾値未満である。結果、半導体スイッチ２１はオフに切替わる。
【００３８】
昇圧回路２４が動作を停止している場合、昇圧回路２４は昇圧を停止しているため、抵抗Ｒ１に電流が流れず、半導体スイッチ２１はオフである。
【００３９】
コンパレータ２５は、端子電圧がゼロＶ以上である場合、出力端からハイレベル電圧をマイコン２７に出力する。コンパレータ２５は、端子電圧がゼロＶ未満である場合、出力端からローレベル電圧をマイコン２７に出力する。
【００４０】
レギュレータ２６は、変換回路２３が変換した変換電圧を降圧し、降圧した電圧をマイコン２７に印加する。以下では、レギュレータ２６が降圧した電圧を降圧電圧と記載する。降圧電圧は、第４ダイオード３４のアノードの電位を基準とした電圧であり、降圧電圧の極性は正である。降圧電圧は変換回路２３が変換した電圧に係る電圧である。レギュレータ２６は降圧回路としても機能する。
【００４１】
レギュレータ２６が降圧電圧をマイコン２７に印加した場合、マイコン２７に電力が供給される。マイコン２７に電力が供給されている場合、電流は、正極端子Ｔ１、ヒューズ１３、変換回路２３、レギュレータ２６、マイコン２７、変換回路２３及び負極端子Ｔ２の順に流れる。
【００４２】
以上のように、降圧電圧がマイコン２７に印加され、正極端子Ｔ１及び負極端子Ｔ２を介してマイコン２７に電力が供給される。マイコン２７も電気機器として機能する。レギュレータ２６からマイコン２７に電力が供給されている場合、マイコン２７は作動する。レギュレータ２６からマイコン２７への給電が停止した場合、マイコン２７は動作を停止する。
【００４３】
バッテリ１１が正極端子Ｔ１及び負極端子Ｔ２間に接続されている場合、端子電圧の極性に無関係に、レギュレータ２６に電力が供給され、レギュレータ２６は降圧電圧をマイコン２７に印加する。このため、バッテリ１１が正極端子Ｔ１及び負極端子Ｔ２間に接続されている場合、端子電圧の極性に無関係に、マイコン２７に電力が供給される。
【００４４】
マイコン２７には、半導体スイッチ２１のオンを指示するオン指示と、半導体スイッチ２１のオフを指示するオフ指示とが入力される。マイコン２７は、コンパレータ２５から入力された電圧と、入力された指示とに基づいて、昇圧回路２４に出力している電圧をハイレベル電圧又はローレベル電圧に切替える。
【００４５】
図２はマイコン２７の要部構成を示すブロック図である。マイコン２７は、入力部４１，４２、出力部４３、記憶部４４及び制御部４５を有する。これらは内部バス４６に接続されている。
【００４６】
オン指示及びオフ指示が入力部４１に入力される。入力部４１は、オン指示又はオフ指示が入力された場合、入力された指示を制御部４５に通知する。
コンパレータ２５の出力端から入力部４２にハイレベル電圧及びローレベル電圧が入力される。入力部４２は、ハイレベル電圧又はローレベル電圧が入力された場合、入力された電圧を制御部４５に通知する。
【００４７】
出力部４３は昇圧回路２４にハイレベル電圧又はローレベル電圧を出力している。出力部４３は、制御部４５の指示に従って、昇圧回路２４に出力している電圧をハイレベル電圧又はローレベル電圧に切替える。
【００４８】
記憶部４４は不揮発性メモリである。記憶部４４には、コンピュータプログラムＰ１が記憶されている。制御部４５は、一又は複数のＣＰＵ(Central Processing Unit)を有する。制御部４５が有する一又は複数のＣＰＵは、コンピュータプログラムＰ１を実行することによって、昇圧回路２４に出力している電圧をハイレベル電圧又はローレベル電圧に切替える切替え処理を実行する。コンピュータプログラムＰ１は、制御部４５が有する一又は複数のＣＰＵに切替え処理を実行させるために用いられる。
【００４９】
なお、コンピュータプログラムＰ１は、制御部４５が有する一又は複数のＣＰＵが読み取り可能に、記憶媒体Ａ１に記憶されていてもよい。この場合、図示しない読み出し装置によって記憶媒体Ａ１から読み出されたコンピュータプログラムＰ１が記憶部４４に記憶される。記憶媒体Ａ１は、光ディスク、フレキシブルディスク、磁気ディスク、磁気光ディスク又は半導体メモリ等である。光ディスクは、ＣＤ（Compact Disc）−ＲＯＭ(Read Only Memory)、ＤＶＤ（Digital Versatile Disc）−ＲＯＭ、又は、ＢＤ（Blu-ray(登録商標) Disc）等である。磁気ディスクは、例えばハードディスクである。また、図示しない通信網に接続されている図示しない外部装置からコンピュータプログラムＰ１をダウンロードし、ダウンロードしたコンピュータプログラムＰ１を記憶部４４に記憶してもよい。
【００５０】
図３は、切替え処理の手順を示すフローチャートである。マイコン２７に電力が供給されている場合において、制御部４５は切替え処理を周期的に実行する。前述したように、バッテリ１１が正極端子Ｔ１及び負極端子Ｔ２間に接続されている場合、端子電圧の極性に無関係に、昇圧回路２４、コンパレータ２５、レギュレータ２６及びマイコン２７に電力が供給される。
【００５１】
切替え処理では、まず、制御部４５は、バッテリ１１の接続が正常接続であるか否かを判定する（ステップＳ１）。ステップＳ１では、コンパレータ２５から入力部４２に入力されている電圧がハイレベル電圧である場合、制御部４５は、バッテリ１１の接続が正常接続であると判定する。コンパレータ２５から入力部４２に入力されている電圧がローレベル電圧である場合、制御部４５は、バッテリ１１の接続が正常接続ではない、即ち、逆接続であると判定する。
【００５２】
制御部４５は、バッテリ１１の接続が正常接続ではないと判定した場合（Ｓ１：ＮＯ）、昇圧回路２４に出力している電圧のハイレベル電圧への切替えを出力部４３に指示する（ステップＳ２）。これにより、出力部４３は、昇圧回路２４に出力している電圧をハイレベル電圧に切替え、昇圧回路２４は昇圧電圧を半導体スイッチ２１のゲートに印加する。結果、半導体スイッチ２１はオンに切替わる。
制御部４５は、ステップＳ２を実行した後、切替え処理を終了する。
【００５３】
制御部４５は、バッテリ１１の接続が正常接続であると判定した場合（Ｓ１：ＹＥＳ）、入力部４１にオン指示が入力されたか否かを判定する（ステップＳ３）。制御部４５は、オン指示が入力されたと判定した場合（Ｓ３：ＹＥＳ）、ステップＳ２と同様に、昇圧回路２４に出力している電圧のハイレベル電圧への切替えを出力部４３に指示する（ステップＳ４）。これにより、半導体スイッチ２１がオンに切替わる。
【００５４】
制御部４５は、オン指示が入力されていないと判定した場合（Ｓ３：ＮＯ）、入力部４１にオフ指示が入力されたか否かを判定する（ステップＳ５）。制御部４５は、オフ指示が入力されたと判定した場合（Ｓ５：ＹＥＳ）、昇圧回路２４に出力している電圧のローレベル電圧への切替えを出力部４３に指示する（ステップＳ６）。これにより、出力部４３は、昇圧回路２４に出力している電圧をローレベル電圧に切替え、昇圧回路２４は変換電圧の昇圧を停止する。結果、半導体スイッチ２１はオフに切替わる。
【００５５】
制御部４５は、ステップＳ４，Ｓ５の一方を実行した後、又は、オフ指示が入力されていないと判定した場合（Ｓ５：ＮＯ）、切替え処理を終了する。
【００５６】
以上のように構成された給電制御装置１２では、バッテリ１１が正極端子Ｔ１及び負極端子Ｔ２に接続された場合、変換回路２３は、端子電圧の極性に無関係に端子電圧を正の電圧に変換する。このため、端子電圧の極性に無関係に、昇圧回路２４、コンパレータ２５、レギュレータ２６及びマイコン２７に正の電圧が印加され、これらに電力が供給される。
【００５７】
マイコン２７に電力が供給された場合、制御部４５は切替え処理を実行する。切替え処理において、バッテリ１１の接続が逆接続であると制御部４５が判定した場合、昇圧回路２４は、昇圧電圧を半導体スイッチ２１のゲートに印加し、半導体スイッチ２１をオンに切替える。これにより、電流は、負極端子Ｔ２、負荷１４、半導体スイッチ２１、ヒューズ１３及び正極端子Ｔ１の順に流れ、寄生ダイオード２２を電流が流れることはない。
【００５８】
電流が寄生ダイオード２２を流れた場合、寄生ダイオード２２で大きな電力が消費され、半導体スイッチ２１の温度が急速に上昇し、半導体スイッチ２１が故障する可能性がある。前述したように、バッテリ１１の接続が逆接続である場合、半導体スイッチ２１がオンに切替わるので、寄生ダイオード２２を電流が流れる時間は短い。結果、半導体スイッチ２１の温度が異常な温度となることはなく、半導体スイッチ２１が故障する可能性は低い。
【００５９】
切替え処理において、バッテリ１１の接続が正常接続であると制御部４５が判定した場合、入力部４１に入力された指示に応じて、出力部４３は、昇圧回路２４に出力している電圧をハイレベル電圧又はローレベル電圧に切替える。昇圧回路２４は、マイコン２７の入力部４１にオン指示が入力された場合、昇圧電圧を半導体スイッチ２１のゲートに印加し、半導体スイッチ２１をオンに切替える。半導体スイッチ２１がオンである場合、電流が、正極端子Ｔ１、ヒューズ１３、半導体スイッチ２１、負荷１４及び負極端子Ｔ２の順に流れ、負荷１４に電力が供給される。
【００６０】
昇圧回路２４は、マイコン２７の入力部４１にオフ指示が入力された場合、昇圧を停止し、半導体スイッチ２１をオフに切替える。寄生ダイオード２２のカソードは正極端子Ｔ１に接続されているので、半導体スイッチ２１がオフである場合、半導体スイッチ２１又は寄生ダイオード２２を介して負荷１４に電流が流れることはなく、負荷１４への給電が停止する。
【００６１】
なお、変換回路２３が変換した変換電圧が印加される電気機器は、昇圧回路２４、コンパレータ２５、レギュレータ２６及びマイコン２７に限定されず、端子電圧の極性に無関係に電力を供給する必要がある機器であればよい。
【００６２】
開示された本実施形態はすべての点で例示であって、制限的なものではないと考えられるべきである。本発明の範囲は、上述した意味ではなく、特許請求の範囲によって示され、特許請求の範囲と均等の意味及び範囲内でのすべての変更が含まれることが意図される。
【符号の説明】
【００６３】
１  電源システム
１１  バッテリ
１２  給電制御装置（車載装置）
１３  ヒューズ
１４  負荷
２１  半導体スイッチ
２２  寄生ダイオード
２３  変換回路
２４  昇圧回路（電気機器）
２５  コンパレータ（電気機器）
２６  レギュレータ（電気機器、降圧回路）
２７  マイコン（電気機器）
３１  第１ダイオード
３２  第２ダイオード
３３  第３ダイオード
３４  第４ダイオード
４１，４２  入力部
４３  出力部
４４  記憶部
４５  制御部
４６  内部バス
Ａ１  記憶媒体
Ｐ１  コンピュータプログラム
Ｒ１，Ｒ２  抵抗
Ｔ１  正極端子
Ｔ２  負極端子
【図１】
2020005420.tif 000003
【図２】
2020005420.tif 000004
【図３】
2020005420.tif 000005